(57)【特許請求の範囲】
【請求項１】
少なくとも二基以上の支持部が、接続具により屈曲自在に組み合わされると共に、この支持部は両端下部において突出する脚部を具え、前記接続具を適宜の角度回動することにより複数の支持部の上部に被加工物を載置できるようにし、更に前記接続具には、支持部の上部より突出した固定部を具え、また前記支持部の上部には、二基以上の支持部に亘って固定可能な押圧部材を具え、被加工物を前記固定部と押圧部材とにより挟んで保持するとともに押圧部材を固定することを特徴とする架台。
【請求項２】
前記脚部は突出長調整可能な機構を具えて成り、床面の凹凸に応じて突出長を設定することができるものであることを特徴とする請求項１記載の架台。
【請求項３】
前記接続具は、二枚の翼板をピンにより回動自在に接続する蝶番状の部材であり、このピンは前記脚部または固定部を受け入れる構造を有することを特徴とする請求項 1または２記載の架台。
【請求項４】
前記ピンは内周面に雌ネジを刻んだ管状部材であることを特徴とする請求項３記載の架台。
【請求項５】
前記翼板は、その断面形状を前記支持部の断面形状もしくはその一部の形状に対応させた重ね嵌めこみ可能な形状としたことを特徴とする請求項３または４記載の記載の架台。
【発明の詳細な説明】
【０００１】
【発明の目的】
【産業上の利用分野】
本発明は電気工事の作業現場等で制御盤ボックス等を壁面等に取り付けるにあたって、取付穴等の穴あけ作業を行う際に用いるのに適切な架台の構造に関するものである。
【０００２】
【発明の背景】
従来、電気工事の作業現場等で制御盤ボックス等を壁面等に取り付ける際に取付穴や配線パイプ等の穴あけ作業を行うにあたっては、建築材料である角材等を架台にして行っていた。しかしこれはあくまでも急仕立ての架台であったため、左右前後の高さが合わなかったりして被加工物の安定性に欠けて穴あけ加工が不正確になったり、誤って角材に穴をあけてしまったりという不都合が生じていた。
更には商品たる被加工物を保持するために、安易にこのものを足で挟んだり、踏みつけたりしがちであり、このようなことは決して好ましいことではなかった。
【０００３】
【開発を試みた技術的事項】
本発明はこのような背景を認識してなされたものであって、電気工事の作業現場等で制御盤ボックス等を壁面等に取り付けるにあたって、取付穴等の穴あけ作業を行う際に用いるのに適した新規な架台を提供する。
【０００４】
【発明の構成】
【目的達成の手段】
すなわち請求項１記載の架台は、少なくとも二基以上の支持部が、接続具により屈曲自在に組み合わされると共に、この支持部は両端下部において突出する脚部を具え、前記接続具を適宜の角度回動することにより複数の支持部の上部に被加工物を載置できるようにし、更に前記接続具には、支持部の上部より突出した固定部を具え、また前記支持部の上部には、二基以上の支持部に亘って固定可能な押圧部材を具え、被加工物を前記固定部と押圧部材とにより挟んで保持するとともに押圧部材を固定することを特徴とする。
【０００５】
また請求項２記載の架台は、前記要件に加え、前記脚部は突出長調整可能な機構を具えて成り、床面の凹凸に応じて突出長を設定することができるものであることを特徴とする。
【０００６】
更にまた請求項３記載の架台に用いる接続具は、前記要件に加え、前記接続具は、二枚の翼板をピンにより回動自在に接続する蝶番状の部材であり、このピンは前記脚部または固定部を受け入れる構造を有することを特徴とする。
【０００７】
更にまた請求項４記載の架台に用いる接続具は、前記請求項３記載の要件に加え、前記ピンは内周面に雌ネジを刻んだ管状部材であることを特徴とする。
【０００８】
更にまた請求項５記載の架台に用いる接続具は、前記請求項３または４記載の要件に加え、前記翼板は、その断面形状を前記支持部の断面形状もしくはその一部の形状に対応させた重ね嵌めこみ可能な形状としたことを特徴とする。
そしてこれら各請求項記載の発明の構成を手段として前記目的を達成しようとするものである。
【０００９】
【発明の作用】
請求項１記載の発明によれば、架台は被加工物の形状に合わせた任意の形状にすることができ、脚部は各支持部の両端に設けられるので、被加工物を載置しても支持部の接続部において自重を支えることができ、架台の形状及び自立性が安定する。
また押圧部材はこのものを少なくとも二基以上の支持部にわたって固定可能であるので、支持部に対する被加工物の固定が強固になる。
更にまた支持部の上部より突出した固定部により被加工物が係止される。
【００１０】
また請求項２記載の発明によれば、脚部は突出長調整可能な機構を具えるので、架台を使用する床面の状態によらず支持部を水平もしくは作業しやすい状態に維持することができる。
【００１１】
更にまた請求項３記載の発明によれば、接続具に脚部または固定部を具えるとともに、支持部を回動自在に組み合わせることができる。
【００１２】
更にまた請求項４記載の発明によれば、ピンに対して脚部または固定部をネジ止めすることができる。
【００１３】
更にまた請求項５記載の発明によれば、接続具と支持部との組み付けが容易になるとともに強固になる。
【００１４】
【実施例】
以下、本発明の架台１を図面に基づいて具体的に説明すると、このものは少なくとも二基以上の支持部２を屈曲自在に組み合わせて成り、この支持部２を支える脚部５は各支持部２の両端に設けられる。図２に示すのが本発明の架台１の構成の一例であり支持部２を四基具え、これらの端部を三基の接続具３で接続して組み合わせたものである。
【００１５】
支持部２としては一例として四本の角材を用いる、これら四本は同寸法とするが必要に応じて長さを変えても構わない。そして支持部２の上面には一例としてゴム材から成る支持材２１を貼り付ける。更に必要に応じて適宜の個所に水準器を付設しても構わない。また支持部２としては図７に示すように、断面が円形、多角形等の材や、レール材、Ｈ形鋼、溝形鋼等を用いてもよい。
【００１６】
接続具３は請求項３で定義したように、二枚の翼板３３をピン３１により回動自在に接続する蝶番状の部材であり、このピン３１は脚部５または固定部４を受け入れる構造を有する。具体的な構成は請求項４で定義し図３に示すように、内周面に雌ネジを刻んだ管状部材であるピン３１に対して、ピン３１の三分の一程度の長さの管３２を三個外嵌めし、真ん中の管３２をピン３１に固着するとともにこれに対して一方の翼板３３を取り付け、上下の管３２に対してもう一方の翼板３３を取り付けて構成される。そして二枚の翼板３３はピン３１を軸にして相対的に１８０°程度回動するのである。
翼板３３は請求項５で定義したように支持部２の断面形状もしくはその一部を有する。本実施例の場合、支持部２として角材を用いているので、この断面形状の一部になじむようにＬ字形にする。つまり翼板３３の下部には翼板３３に対して垂直にフランジ３３ａを設けるのである。そして取付ネジ３４用の穴が一例として翼板３３には三個所に、またフランジ３３ａには三個所に設けられる。
【００１７】
そして図２に示すように、各支持部２０１〜２０４の両端に対して接続具３０１〜３０５を取付ネジ３４で固定し、四本の支持部２０１〜２０４を連結する。このとき支持部２０１及び２０４の自由端となる側に取り付けられる接続具３０１及び３０５は、二枚の翼板３３によって自由端を挟み込むようにして固定される。このため接続具３０１及び３０５にはフランジ３３ａは設けない。
【００１８】
そして脚部５及び固定部４として一例としてボルトを用い、ピン３１における雌ネジと螺合させるのであり、すべての接続具３０１〜３０５の下部に脚部５を具え、一例として接続具３０２、３０４及び３０３の上部には固定部４を具える。
【００１９】
また図３に示すように固定部４には弾性材を具える。具体的には弾性材の一例であるゴム製の管状部材を用いるのであって、このものを固定クッション４１と称する。固定クッション４１の直径は固定部４として用いるボルトの頭部よりも大きく、固定部４は固定クッション４１を外嵌めした状態でピン３１に螺合する。
更にまた脚部５たるボルトの頭部には一例としてゴム製のクッション５２を貼り付けてもよい。また脚部５には接続具３の回動角を固定維持する手段として、ナット５１を介在させてピン３１に螺合させる。
【００２０】
次に押圧部材６について説明する。このものは図４に示すように一例として支持部２と同程度のサイズの角材を用いた押圧作用部６１を主要部材とし、この長手方向の二個所にあけた穴にそれぞれボルト６２を挿入し、このボルト６２に対してワッシャ６３及び蝶ナット６４を具えて成る。ボルト６２の頭部に対しては平板状の固定板６５が固定されており、この固定板６５の押圧作用部６１側の面には一例としてゴム材から成る固着材６６を貼り付ける。前記固定板６５に取り付けるボルト６２は一本でもよく、また二本以上の多数本設けてもよい。
【００２１】
本発明の架台１はこのような諸部材を具えて構成されるものであって、電気工事の作業現場等で以下のようにして用いられる。
（ｉ）架台の形状設定
まず作業にあたっては準備として、被加工物の形状及び作業現場の床面の状態に適するように架台１の形状設定を行う。
本実施例では被加工物の一例として制御盤ボックスＢを用いる。架台１は支持部２０１〜２０４までの四基の支持部２を具えるので、図２（ａ）に示すように折り畳まれた状態から接続具３を適宜の角度に回動して図２（ｂ）に示すように全体を一例としてＷ字状にするのであるが、被加工物の形状もしくは作業現場の広さ等に応じて、コの字、Ｌ字等、構成し得る種々の形状にして用いる。因みに架台１の持ち運びの際に支持部２が開いてしまうのを防止するために、フック７及びフック止め７１を支持部２の側端面に設け、これらを係止するようにしてもよい。そして床面の凹凸に応じて脚部５を回してこの突出長を設定し、ナット５１を締め付けることで管３２とピン３１との軸転を規制してＷ字形状を維持する。
【００２２】
（ii）押圧部材による被加工物の固定
次いで図２（ｂ）に示すように支持部２に対して、制御盤ボックスＢを図中×印で示す穴あけ位置の下方に支持部２が位置しないように載置し、押圧部材６における押圧作用部６１を制御盤ボックスＢに押し付ける。すなわち制御盤ボックスＢは押圧作用部６１と固定部４における固定クッション４１とに挟まれる。更に固定板６５を少なくとも二基以上の支持部２にわたってこれらの下方に位置させ、蝶ナット６４を締め付けて押圧部材６を固定する。またこのとき二基の押圧部材６を用いてこれらにより制御盤ボックスＢを挟むように固定してもよい。
【００２３】
（iii)穴あけ
このようにして被加工物たる制御盤ボックスＢは架台１に対し固定され、穴あけ位置に対して電気ドリル等で穴あけが行われる。
また図１（ｂ）に示すようにパイプ、コンパネ（厚ベニヤ）等を扱う場合には適宜固定部４を取り外して用いる。
【００２４】
【他の実施例】
先の実施例で説明した架台１は支持部２を四基用い、これらを三基の接続具３で屈曲自在に組み合わせたものであり、屈曲角の設定によってＷ字状、Ｌ字状、コの字状等の形状を採ることができたが、架台１は少なくとも二基以上の支持部２を屈曲自在に組み合わせればよいので、一例として次に述べるような構成としてもよい。まず支持部２を二基とした場合、これらを接続する接続具３は一基必要であり、一例としてＶ字状の形状を採ることができる。また支持部２を三基とした場合、これらを接続する接続具３は二基必要であり、一例としてＮ字状、Ｌ字状、Ｕ字状の形状を採ることができる。
【００２５】
次に図５に示す支持部２として一例としてレール材を用いた例について説明する。レール材は図７（ｄ）に示すように、断面が溝形をした金属部材であり、このものを一例として四本用いる、これら四本は同寸法とするが必要に応じて長さを変えても構わない。
【００２６】
また接続具３は先の実施例と同様の構成とし、二枚の翼板３３がピン３１を軸にして相対的に１８０°程度回動する。翼板３３は支持体２の断面形状もしくはその一部を有する。本実施例の場合、図５に示すように断面形状をレール材より若干小さめの溝形にする。つまり翼板３３に対して支持部２を嵌め込み、溶接等適宜の手段によって固定するのであるが、取付ネジ３４によって固定するようにしてもよい。
【００２７】
そして各支持部２０１〜２０４の両端に対して接続具３０１〜３０５を固定し、四本の支持部２０１〜２０４を連結する。このとき支持部２０１及び２０４の自由端となる側に取り付ける接続具３０１及び３０５はピン３１に対して固定された一基の翼板３３に対して自由端を嵌め込むようにして固定する。
【００２８】
そして脚部５及び固定部４として一例としてボルトを用い、ピン３１における雌ネジと螺合させるのであり、すべての接続具３０１〜３０５の下部に脚部５を具え、接続具３０２、３０４及び３０３の上部には固定部４を具える。
【００２９】
次にこのようなレール材を適用した支持部２に対して用いる押圧部材６について説明する。このものは押圧部材６を二基以上の支持部２にわたって固定可能な固定板６５を具えるので、一例として図５に示すような構成とする。まず押圧作用部６１は一例として角材に対して長手方向の相対する二面にわたってスリット６７を形成し、このスリット６７に二本のボルト６２を挿入し、それぞれのボルト６２に対してワッシャ６３及び蝶ナット６４を具えて成る。ボルト６２の頭部に対しては固定板６５が具えられており、この固定板６５は蝶ナット６４を締め付けることで支持部２のレール状の折り曲げ部に対して係止し、押圧部材６を固定する。
【００３０】
また脚部５はボルトのほか、キャスタ等の移動用部材を用いたり、あるいは既述の固定した脚部５にキャスタを併設したりしてもよい。この際作業時の安定を図るためにはキャスタをブレーキ付きのものとしたり、あるいは作業時にはキャスタを引き上げるようにして用いる。
【００３１】
更に請求項２で定義した、脚部５が具える突出長調整可能な機構の実施例としては図６に示すようにすることもできる。具体的には脚部５は一例として金属製のロッド５５の先端に円板状の金属片を具えた構成とする。
図６（ａ）に示す例の場合、接続具３を一般的な蝶番とし、支持部２の側端部に別部材として脚部受け５３を設け、これに対して脚部５を具えるような構成とする。また脚部受け５３は一例として金属製の円筒状部材であり、側面に対して水平方向に多段に、更に各段の片端部を垂直方向に連結するようなスリット５４を形成する。このような脚部受け５３の場合、ロッド５５に対してボス５６を固着する。このボス５６を前記スリット５４の水平部に対して嵌め込むことでロッド５５の突出長を段階的に設定できるのである。
【００３２】
また図６（ｂ）に示すように、ピン３１を雌ネジを刻んでいない管状部材とし、これに外嵌めされる三個の管３２のうち、上下の管３２をピン３１に固着するとともにこの側面に対して雌ネジを刻み、ここに止めネジ５７を螺合させる。更に管３２に対して翼板３３を取り付けて接続具３を構成する。このような構成の場合、ロッド５５をピン３１に対して挿入した後、止めネジ５７を締め付けることでロッド５５の突出長を無段階に設定できるのである。
このような脚部５の突出長調整可能な機構は、固定部４に対しても適用することができる。
【００３３】
また架台１の構成として、支持部２と接続具３とを一体部材として形成してもよい。
【００３４】
〔参考的な応用例〕
また本発明の架台１は既述の用途のほかに、図８に示すように棚受けとして用いることもできる。具体的には図８（ａ）に示すように適宜の形状にした架台１を壁面に当接させ、支持面に対して天板８を載置するのである。また架台１は形状設定が柔軟に行えるので、図８（ｂ）に示すように断面が円形である柱に対しても形状をなじませて当接させることができ、複雑な形状の天板８の支持にも適している。
【００３５】
【発明の効果】
請求項１記載の発明によれば、架台１は被加工物の形状に合わせた任意の形状にすることができ、脚部５は各支持部２の両端に設けられるので、被加工物を載置しても支持部２の接続部において自重を支えることができ、架台１の形状及び自立性が安定し、穴あけ加工等の作業効率を改善することができる。また製品を足で挟んだり、踏みつけたりする必要が無くなり、製品を不用意に傷つけない。更にまたコンパクトに折り畳むことができるため、持ち運びを容易に行うことができる。
また押圧部材６はこのものを少なくとも二基以上の支持部２にわたって固定可能な固定板６５を具えるので、支持部２に対する被加工物の固定を強固にすることができ、製品を足で挟んだり、踏みつけたりする必要が無くなり不用意に製品を傷つけない。
更にまた支持面より上方に突出した固定部４により被加工物を係止するので、配線パイプ等の穴あけ作業を行う場合に、このものが転がり落ちるのを防止し、作業性を改善することができる。
【００３６】
また請求項２記載の発明によれば、脚部５は突出長調整可能な機構を具えるので、架台１を使用する床面の状態によらず支持部２を水平もしくは作業しやすい状態に維持するので、穴あけ加工等の作業効率が改善することができる。
【００３７】
更にまた請求項３記載の発明によれば、接続具３に脚部５または固定部６を具えるとともに、支持部２を回動自在に組み合わせることができるので、架台１を被加工物の形状に合わせた任意の形状にすることができる。
【００３８】
更にまた請求項４記載の発明によれば、ピン３１に対して脚部５または固定部４を直接螺合させ、これら部材を突出長調整可能に保持するので、架台１を使用する床面の状態によらず支持部２を水平もしくは作業しやすい状態に維持し、穴あけ加工等の作業効率を改善することができる。
【００３９】
更にまた請求項５記載の発明によれば、接続具３と支持部２との組み付けが容易になるとともに強固にすることができる。
【図面の簡単な説明】
【図１】  本発明の架台の使用状態を示す斜視図である。
【図２】  本発明の架台を畳んだ状態と広げた状態を示す斜視図並びに側面図である。
【図３】  本発明の接続具を示す斜視図である。
【図４】  押圧部材を示す斜視図である。
【図５】  レール材を適用した架台、レール材に対して用いる接続具及び押圧部材の他の実施例を示す斜視図である。
【図６】  脚部の突出長調整可能な機構の他の実施例を示す斜視図である。
【図７】  支持部として用いる材の形状例を示す斜視図である。
【図８】  本発明の架台を棚受けとして用いた参考的な応用例を示す平面図である。
【符号の説明】
１      架台
２      支持部
２０１  支持部
２０２  支持部
２０３  支持部
２０４  支持部
２１    支持材
３      接続具
３０１  接続具
３０２  接続具
３０３  接続具
３０４  接続具
３０５  接続具
３１    ピン
３２    管
３３    翼板
３３ａ  フランジ
３４    取付ネジ
４      固定部
４１    固定クッション
５      脚部
５１    ナット
５２    クッション
５３    脚部受け
５４    スリット
５５    ロッド
５６    ボス
５７    止めネジ
６      押圧部材
６１    押圧作用部
６２    ボルト
６３    ワッシャ
６４    蝶ナット
６５    固定板
６６    固着材
６７    スリット
７      フック
７１    フック止め
８      天板
Ｂ      制御盤ボックス
【図１】
0003684535.tif 000002
【図２】
0003684535.tif 000003
【図３】
0003684535.tif 000004
【図４】
0003684535.tif 000005
【図５】
0003684535.tif 000006
【図６】
0003684535.tif 000007
【図７】
0003684535.tif 000008
【図８】
0003684535.tif 000009